(57)【要約】【課題】  宙吊り構造のチューナに接地用電路を接続する場合に、その接地用電路を、チューナの金属製の外筐に接続される接地用電路を板ばねによって形成する。【解決手段】  接地用電路を形成する板ばね８０が、接地側導体としての下部基板２０の接地電極２３，２７に接触してその下部基板２０にビス止めされたビス止め片８１と、このビス止め片８１から上方に延び出た弾性片８４と、この弾性片８４の上端に連設されてチューナ４０の外筐４１に弾接する接触片８６とを一体に有する。接触片８６が、チューナ４０の外筐４１に弾接してそのチューナ４０に上向き荷重を付加している。【選択図】        図２
2009141833.tif 000002
【特許請求の範囲】
【請求項１】
上部基板と下部基板との間にチューナを実装した中継基板が起立姿勢で配備され、上記上部基板と上記中継基板の電気回路同士がコネクタを介して電気的に接続され、そのコネクタが、上記中継基板に搭載された第１コネクタ要素と上記上部基板に搭載されて上記第１コネクタ要素に接続されている第２コネクタ要素とに分割されていると共に、上記チューナの金属製の外筐と接地側導体とが接地用電路で接続されているチューナの接地構造において、
上記接地用電路が、上記接地側導体としての上記下部基板の接地電極に接触してその下部基板にビス止めされたビス止め片と、このビス止め片から上方に延び出た弾性片と、この弾性片の上端に連設されてこの弾性片の弾性によってチューナの上記外筐に弾接されている接触片とを一体に有する導電性の板ばねによって構成されていて、上記接触片が、チューナの上記外筐に弾接してそのチューナに上向き荷重を付加するようになっていることを特徴とするチューナの接地構造。
【請求項２】
上記接地側導体が、上記下部基板の接地電極とその接地電極に電気的に接続されている板金製の機器筐体とを含み、上記ビス止め片を下部基板にビス止めしている取付けねじが、上記ビス止め片と上記下部基板とに形成されているビス挿通孔を通して上記機器筐体のねじ孔にねじ込まれていることにより、その取付けねじの頭部と上記機器筐体との間で上記ビス止め片と下部基板とが挟圧されている請求項１に記載したチューナの接地構造。
【請求項３】
上記下側基板が電源基板とＡＶ基板とに分かれていて、上記ビス止め片がそれらの電源基板とＡＶ基板とに跨がって配備され、かつ、そのビス止め片の２箇所が電源基板とＡＶ基板とに各別にビス止めされている請求項２に記載したチューナの接地構造。
【請求項４】
上記ビス止め片が、上記電源基板及び上記ＡＶ基板のうちの少なくとも一方に具備されたスリット状の位置決め孔に挿入されてそのビス止め片と上記電源基板及び上記ＡＶ基板との各ビス止め箇所を位置決めしている位置決め片を有する請求項２又は請求項３に記載したチューナの接地構造。
【請求項５】
上記接触片を、チューナの上記外筐に備わっている下側コーナ部に弾接させてそのチューナに上向き荷重を付加してある請求項１ないし請求項４のいずれか１項に記載したチューナの接地構造。
【請求項６】
上記接触片が谷形に曲がった屈曲部を有して、この屈曲部を挟む両側の２箇所でチューナの上記外筐の下側コーナ部に弾接している請求項３に記載したチューナの接地構造。
【発明の詳細な説明】
【技術分野】
【０００１】
本発明は、チューナの接地構造、特に、チューナの金属製の外筐を、配線基板の接地電極や板金製の機器筐体といった接地側導体に接地用電路で接続させているチューナの接地構造に関する。
【背景技術】
【０００２】
ＤＶＤドライブとビデオデッキとに共通の電源基板が用いられて、それらがＡＶ基板やメイン基板などと共に共通の機器筐体に収容されている複合機としての電気電子機器において、チューナ（デジタルチューナなど）を接地用電路を介して上記電源基板やＡＶ基板などの接地電極や板金製の機器筐体といった接地側導体に接続しておくことは、いわゆるビート対策として従来より行われている。
【０００３】
従来、ＶＴＲ一体型ＤＶＤプレーヤなどでは、メイン基板の上に搭載されているチューナに漏れる妨害電力を上面カバーに逃がすことによってノイズや機器障害などの不具合を低減することを意図した対策として、チューナの入力端子と上面カバーとを上面カバーにビス止めした接地部材によって短絡することが知られていた（たとえば、特許文献１参照）。そして、この特許文献１には、接地部材のビス止め箇所で、外面カバーと接地部材とをシャーシに設けたブラケットに１本のボルトで共締めすることが示されている。
【特許文献１】特開２００７−２０７３７０号公報
【発明の開示】
【発明が解決しようとする課題】
【０００４】
ところで、特許文献１で示されているＶＴＲ一体型ＤＶＤプレーヤを含む上記した複合機では、機器筐体内でのメイン基板や電源基板、ＡＶ基板といった各種の配線基板、チューナなどの必要部品のレイアウトを適切に定めるために、チューナをいわゆる宙吊り構造で組み込むことが要求される場合がある。宙づり構造のチューナは、上部基板（たとえばメイン基板）と下部基板（たとえば電源基板又はＡＶ基板）との間に起立姿勢で配備された中継基板に実装されている。そして、上部基板と中継基板の電気回路同士がコネクタを介して電気的に接続され、そのコネクタが、中継基板に搭載された第１コネクタ要素と上記上部基板に搭載されて上記第１コネクタ要素に接続されている第２コネクタ要素とに分割されている。また、チューナはその端子が上記中継基板に横向きのまま半田付けされている。
【０００５】
このような宙吊り構造のチューナにおいて、その外筐に接地用電路を接続する場合に、下部基板の接地電極や機器筐体などの接地側導体とチューナの外筐との間にただ単に介在させただけの導体でなる板ばねによって接地用電路を構成しただけでは、振動などによってチューナの外筐と板ばねとの弾接箇所や接地側導体と板ばねとの弾接箇所に接触不良が生じやすい。また、宙吊り構造のチューナの重さの影響を受けて、上部基板と中継基板の電気回路同士を接続しているコネクタが離脱したり、チューナの端子の半田付け箇所に無理な負荷が加わってその半田付け箇所が剥離したりするおそれがある。
【０００６】
一方、上掲の特許文献１によって示されているチューナの接地構造は、チューナの入力端子と上面カバーとを、上面カバーにビス止めした板金製の接地部材によって短絡するというものであるので、宙吊り構造のチューナの外筐を接地側導体に接地用電路で接続するというものではない。
【０００７】
本発明は以上の状況に鑑みてなされたものであり、宙吊り構造のチューナが金属製の外筐を備えている場合に、その外筐を板ばねによって形成される接地用電路で接地側導体に接続することを基本とし、その板ばねの形状や接地側導体に対する取付け方に工夫を講じることによって、安定性及び信頼性に優れた接地用電路を形成することのできるチューナの接地構造を提供することを目的とする。
【０００８】
また、本発明は、宙吊り構造のチューナの重さの影響を受けて、上部基板と中継基板の電気回路同士を接続しているコネクタが離脱したり、チューナの端子の半田付け箇所に無理な負荷が加わってその半田付け箇所が剥離したりするといったおそれを回避することのできるチューナの接地構造を提供することを目的とする。
【課題を解決するための手段】
【０００９】
本発明に係るチューナの接地構造は、上部基板と下部基板との間にチューナを実装した中継基板が起立姿勢で配備され、上記上部基板と上記中継基板の電気回路同士がコネクタを介して電気的に接続され、そのコネクタが、上記中継基板に搭載された第１コネクタ要素と上記上部基板に搭載されて上記第１コネクタ要素に接続されている第２コネクタ要素とに分割されていると共に、上記チューナの金属製の外筐と接地側導体とが接地用電路で接続されている。そして、上記接地用電路が、上記接地側導体としての上記下部基板の接地電極に接触してその下部基板にビス止めされたビス止め片と、このビス止め片から上方に延び出た弾性片と、この弾性片の上端に連設されてこの弾性片の弾性によってチューナの上記外筐に弾接されている接触片とを一体に有する導電性の板ばねによって構成されていて、上記接触片が、チューナの上記外筐に弾接してそのチューナに上向き荷重を付加するようになっている。
【００１０】
この構成であれば、接地用電路が導電性の板ばねによって形成されるだけでなく、その板ばねに具備されているビス止め片が下部基板の接地電極に接触してその下部基板にビス止めされているために、接地用電路と接地側導体としての下部基板の接地電極との接触安定性や接触信頼性が向上する。しかも、板ばねが宙吊り構造のチューナに上向き荷重を負荷しているので、上部基板と中継基板の電気回路同士を接続しているコネクタが離脱したり、チューナの端子の半田付け箇所に無理な負荷が加わってその半田付け箇所が剥離したりするといったおそれが回避されるだけでなく、チューナの外筐と板ばねの接触片との接触安定性や接触信頼性も向上する。
【００１１】
本発明では、上記接地側導体が、上記下部基板の接地電極とその接地電極に電気的に接続されている板金製の機器筐体とを含み、上記ビス止め片を下部基板にビス止めしている取付けねじが、上記ビス止め片と上記下部基板とに形成されているビス挿通孔を通して上記機器筐体のねじ孔にねじ込まれていることにより、その取付けねじの頭部と上記機器筐体との間で上記ビス止め片と下部基板とが挟圧されていることが望ましい。この構成によれば、取付けねじによって接地用電路を形成している板ばねのビス止め片と下部基板との両方がそれらに共通の取付けねじによって接地側導体としての機器筐体に共締めされているので、接地用電路と接地側導体としての下部基板の接地電極及び機器筐体との接触安定性や接触信頼性がいっそう向上する。
【００１２】
本発明では、上記下側基板が電源基板とＡＶ基板とに分かれていて、上記ビス止め片がそれらの電源基板とＡＶ基板とに跨がって配備され、かつ、そのビス止め片の２箇所が電源基板とＡＶ基板とに各別にビス止めされている、という構成を採用することが可能である。この構成であれば、チューナの外筐が単一の板ばねによって構成される接地用電路を介して電源基板とＡＶ基板との両方を介して接地用導体としての機器筐体に接続される。そのため、チューナの外筐を接地用導体としての電源基板やＡＶ基板などの異なる基板の接地電極に接続するための板ばねの必要数が少なくて済むという利点がある。
【００１３】
本発明では、上記ビス止め片が、上記電源基板及び上記ＡＶ基板のうちの少なくとも一方に具備されたスリット状の位置決め孔に挿入されてそのビス止め片と上記電源基板及び上記ＡＶ基板との各ビス止め箇所を位置決めしている位置決め片を有することが望ましい。この構成であれば、ビス止め片と電源基板及びＡＶ基板との各ビス止め箇所が、位置決め孔に挿入された位置決め片によって位置決めされるので、ビス止め作業を正確にかつ迅速に行うことができるだけでなく、ビス止め作業でビス止め片が取付けねじと共回りすることがなくなってそれだけビス止め作業を容易に行うことができるようになる。
【００１４】
本発明では、上記接触片を、チューナの上記外筐に備わっている下側コーナ部に弾接させてそのチューナに上向き荷重を付加してあることが望ましい。この構成によっても、上記したところと同様に、宙吊り構造のチューナが板ばねにより弾性的に下方から支えられるために、上部基板と中継基板の電気回路同士を接続しているコネクタが離脱したり、チューナの端子の半田付け箇所に無理な負荷が加わってその半田付け箇所が剥離したりするといったおそれが回避されるだけでなく、チューナの外筐と板ばねの接触片との接触安定性や接触信頼性も向上する。
【００１５】
本発明では、上記接触片が谷形に曲がった屈曲部を有して、この屈曲部を挟む両側の２箇所でチューナの上記外筐の下側コーナ部に弾接している、という構成を採用することが可能である。これによれば、接触片が少なくとも２箇所でチューナの外筐に弾接するために、チューナの外筐と板ばねの接触片との接触安定性や接触信頼性もいっそう向上する。
【発明の効果】
【００１６】
以上のように、本発明によれば、宙吊り構造のチューナが金属製の外筐を板ばねによって形成される接地用電路で接地側導体に接続する場合に、安定性及び信頼性に優れた接地用電路が形成されるようになり、好ましいビート対策を提供することが可能になる。また、宙吊り構造のチューナの重さの影響を受けて、上部基板と中継基板の電気回路同士を接続しているコネクタが離脱したり、チューナの端子の半田付け箇所に無理な負荷が加わってその半田付け箇所が剥離したりするといったおそれが回避されるために、耐振性に優れたチューナの接地構造を提供することが可能になる。
【発明を実施するための最良の形態】
【００１７】
図１は本発明の実施形態に係る複合機でのチューナの接地構造を概略で例示した縦断正面図、図２は上記接地構造の要部を拡大した縦断側面図、図３は図１のＩＩＩ部を拡大して断面で示した縦断面図である。
【００１８】
図１に示した複合機では、横並びに配置されたビデオデッキ１００とＤＶＤドライブ２００とがそれらに共通の板金製の機器筐体３００に収容されている。また、機器筐体３００には、上部基板１０と下部基板２０とが間隔を隔てて配備されている。図例の複合機では、配線基板としてメイン基板と電源基板とＡＶ基板とが採用されていて、上記した上部基板１０にメイン基板が相当しているのに対し、上記した下部基板２０が横並びに配置された電源基板２１とＡＶ基板２５とに分かれている。また、下部基板２０としての電源基板２１やＡＶ基板２５は、機器筐体３００の底板３１０の上に配備されている。
【００１９】
さらに、チューナ４０が中継基板３０に実装されている。この中継基板３０は、ビデオデッキ１００とＤＶＤドライブ２００との相互間スペースを利用して、上部基板１０としてのメイン基板と下部基板２０としての電源基板２１との間に起立姿勢で配備されている。また、上部基板１０と中継基板３０の電気回路同士はコネクタ５０を介して電気的に接続されている。このようにチューナ４０を実装した中継基板３０をビデオデッキ１００とＤＶＤドライブ２００との相互間スペースを利用して起立姿勢で配備するというレイアウトを採ることにより、機器筐体３００の高さを低く抑えることが可能になる。
【００２０】
図２のように、上記コネクタ５０は、上部基板１０の端部に搭載された第１コネクタ要素５１と、中継基板３０の上端部に搭載された第２コネクタ要素５５とに分割されていて、第１コネクタ要素５１が第２コネクタ要素５５に上方から差込み接続されている。また、チューナ４０は、その端子が中継基板３０の孔部に横向きに挿通されて中継基板３０の裏面でランドに半田付けされているほか、そのチューナ４０に接続された分配器６０の信号線コネクタ部６１が、中継基板３０に直角に結合されている取付板７０の開口７１から突き出ている。この構成の下では、比較的重い部品であるチューナ４０が宙吊り構造になっていて、その重さの影響でチューナ４０の横向きの端子と中継基板３０との半田付け箇所やコネクタ５０などに下向き荷重が負荷されている。
【００２１】
この実施形態では、チューナ４０の金属製の外筐４１を接地用電路によって接続する相手方の接地側導体として、下部基板２０としての電源基板２１及びＡＶ基板２５にそれぞれ形成されている接地電極（図１〜図３において不図示）と板金製の機器筐体３００とが選択されている。また、接地用電路を導電性の板ばね８０によって形成してある。以下、これらについて具体的に説明する。
【００２２】
図４は板ばね８０と、下部基板２０としての電源基板２１及びＡＶ基板２５と、機器筐体の板金製の底板３１０とを示した分解斜視図、図５はチューナ４０の概略斜視図、図６は板ばね８０の斜視図である。
【００２３】
図６のように、板ばね８０は、２箇所にビス挿通孔８２，８３を有する平坦なビス止め片８１と、このビス止め片８１から略直角に折り曲げられた屈曲部８５を介して上方に延び出た弾性片８４と、この弾性片の上端に略直角に折り曲げられた屈曲部８７を介して連設された接触片８６と、を一体に有している。そして、接触片８６が、谷形に曲がった屈曲部８８を有していると共に、二股に分かれている。また、図６の板ばね８０では、ビス止め片８１の２箇所に位置決め片９１，９２を突出させてあり、これらの突出片９１，９２を必要に応じて直角に折り曲げて使用に供することができるようになっている。
【００２４】
これに対し、図５に示したチューナ４０は、図２を参照して既述したように信号線コネクタ部６１を有していることに加えて、金属製の外筐４１を備えていて、その外筐４１が電磁的シールド作用を果たすようになっている。したがって、この外筐４１に接地用電路を接続することによってチューナ４０が接地状態になる。
【００２５】
また、図４に示したように、下部基板２０としての電源基板２１は、ビス挿通孔２２及びこのビス挿通孔２２の周囲にリング状に形成されている接地電極２３を有していると共に、ビス挿通孔２２がスルーホールとして形成されて上記接地電極２３に電気的接続された電極（不図示）を裏面側に有している。同様に、下部基板２０としてのＡＶ基板２５は、ビス挿通孔２６及びこのビス挿通孔２６の周囲にリング状に形成されている接地電極２７を有していると共に、ビス挿通孔２６がスルーホールとして形成されて上記接地電極２７に電気的接続された電極（不図示）を裏面側に有している。そのほか、電源基板２１やＡＶ基板２５には、それらのビス挿通孔２２，２６に隣接してスリット状の位置決め孔２４，２７が形成されている。
【００２６】
さらに、図４に示したように、機器筐体の底板３１０には、上方へ膨らみ出た膨出部３１２が備わり、その膨出部３１２の頂部の２箇所にねじ孔３１３，３１４が開口していて、これらのねじ孔３１３，３１４は、図４には図示していない取付けねじをねじ込むことによってねじ切りが行われるようになっている。
【００２７】
次に組立工程を説明する。
【００２８】
図４によって判るように、組立工程では、下部基板２０としての電源基板２１及びＡＶ基板２５は、機器筐体の底板３１０の膨出部３１２の上に乗せ掛けられる。そして、それらの電源基板２１及びＡＶ基板２５の両方に跨がる形態で板ばね８０のビス止め片８１が重ね合わされ、そうすることによって電源基板２１及びＡＶ基板２５のビス挿通孔２２，２６が底板３１０のねじ孔３１３，３１４にそれぞれ位置合わせされると共に、ビス止め片８１のねじ挿通孔８２，８３が電源基板２１及びＡＶ基板２５のビス挿通孔２２，２６にそれぞれ位置合わせされる。この場合において、必要に応じて、ビス止め片８１の位置決め片９１，９２が下向きに直角に折り曲げられて、電源基板２１及びＡＶ基板２５の位置決め孔２４，２８に挿入される。このようにすると、ビス止め片８１と電源基板２１及びＡＶ基板２５との各ビス止め箇所が正確に位置決めされるようになって、ビス止め前の位置決め作業性が改善される。なお、位置決めは、２つの位置決め片９１，９２のうちの少なくとも１つを用いるだけで行うことができるけれども、それらの位置決め片９１，９２の両方を用いることによって、より正確な位置決め状態が得られる。
【００２９】
上記のようにしてビス止め片８１と電源基板２１及びＡＶ基板２５との各ビス止め箇所を位置決めした後、ビス止め片８１と電源基板２１及びＡＶ基板２５と各のビス挿通孔８２，２３、８３，２６を通して図２又は図３のように底板３１０のねじ孔３１３，３１４に取付けねじ９５，９６がねじ込むことにより、電源基板２１及びＡＶ基板２５がビス止め片８１と共に底板３１０に共締めされて、その取付けねじ９５，９６の頭部と底板３１０との間でビス止め片８１と電源基板２１及びＡＶ基板２５が挟圧される。この状態では、電源基板２１とＡＶ基板２５とに跨がって配備されているビス止め片８１が、その２箇所が電源基板２１とＡＶ基板２５とに各別にビス止めされた状態になると同時に、そのビス止め片８１が電源基板２１及びＡＶ基板２５の接地電極２３，２７を介して底板３１０に確実に電気的接続され、併せて、、電源基板２１及びＡＶ基板２５もその接地電極２３，２７を介して底板３１０に確実に電気的接続される。
【００３０】
次に、下部基板２０としての電源基板２１の上にチューナ４１を実装した中継基板３０が起立姿勢で配備される。そして、このときに、図２のようにチューナ４０の外筐４１に備わっている下側コーナ部４２で板ばね８０の接触片８６をその弾性に抗して押し付けて、板ばね８０の弾性片８４を図示のように弓形に撓ませる。このようにすると、チューナ４０による押付け作用と板ばね８０の弾性片８４とが弾性的に押し合うようになり、チューナ４０に上向き荷重が付加されるようになる。このため、チューナ４０が板ばね８０により弾性的に下方から支えられ、チューナ４０の重さが軽減されてその端子の半田付け箇所に無理な負荷が加わりにくくなる。また、板ばね８０の接触片８６がチューナ４０の外筐４１の下側コーナ部４２に強く弾接するために、板ばね８０によって形成される接地用電路と外筐４１との接触安定性が確保される。特に、図２のように、板ばね８０の谷形の接触片８６の屈曲部８８を挟む２箇所がチューナ４０の外筐４１の下側コーナ部４２に線接触状態で弾接するように板ばね８０とチューナ４０との位置関係を定めておくと、上記して接触安定性がいっそう向上する。
【００３１】
こうして板ばね８０によって接地用電路を形成した後、図２に示したメイン基板１０を中継基板３０の上に配備し、そのメイン基板１０側の第１コネクタ要素５１を中継基板３０側の第２コネクタ要素５５に上方から差し込んで接続する。このよう第１コネクタ要素５１が第２コネクタ要素５５に上方から差し込んで接続する構成を採用しておくと、中継基板３０の上側にメイン基板１０を組み付けるときの組立性が向上するけれども、チューナ４０の重さによって第２コネクタ５５が第１コネクタ要素５２から抜け出しやすくなることが懸念される。しかし、この実施形態では、上記のようにチューナ４０が板ばね８０により弾性的に下方から支えられ、チューナ４０の重さが軽減されるために、チューナ４０の重さによって第２コネクタ５５が第１コネクタ要素５２から抜け出しやすくなるという事態が改善される。
【００３２】
この実施形態では、下部基板２０が電源基板２１とＡＶ基板２５とに分かれている事例を説明したけれども、この点は、下部基板２０が１枚の配線基板によって形成されていてもよい。また、下部基板２０が電源基板２１とＡＶ基板２５とに分かれている場合、板ばね８０によって形成される接地用電路を、チューナ４０と電源基板２１及び機器筐体３００との間にだけ形成しておいてもよい。
【図面の簡単な説明】
【００３３】
【図１】本発明の実施形態に係るチューナの接地構造を概略で例示した縦断正面図である。
【図２】上記接地構造の要部を拡大した縦断側面図である。
【図３】図１のＩＩＩ部を拡大して断面で示した縦断面図である。
【図４】板ばねと下部基板と機器筐体の底板とを示した分解斜視図である。
【図５】チューナの概略斜視図である。
【図６】板ばねの斜視図である。
【符号の説明】
【００３４】
１０  上部基板（メイン基板）
２０  下部基板
２１  電源基板（下部基板）
２２，２６，８２，８３  ビス挿通孔
２３，２７  接地電極（接地側導体）
２４，２８  位置決め孔
２５  ＡＶ基板（下部基板）
３０  中継基板
４０  チューナ
４１  チューナの外筐
４２  チューナの下側コーナ部
５０  コネクタ
５１  第１コネクタ要素
５５  第２コネクタ要素
８０  板ばね
８１  ビス止め片
８４  弾性片
８６  接触片
８８  谷形に曲がった屈曲部
９５，９６  取付けねじ
３００  機器筐体（接地側導体）
３１３，３１４  ねじ孔
９１，９２  位置決め片
【図１】
2009141833.tif 000003
【図２】
2009141833.tif 000004
【図３】
2009141833.tif 000005
【図４】
2009141833.tif 000006
【図５】
2009141833.tif 000007
【図６】
2009141833.tif 000008